(57)【特許請求の範囲】
【請求項１】
かごおよび釣り合い重りが落下したときの衝撃をそれぞれ緩衝するかご用バッファおよび釣り合い重り用バッファと、昇降路に設けられるかご用ガイドレールおよび釣り合い重り用ガイドレールと、昇降路の側壁に外れやすいように取り付けられて建物の基礎の上に別体として位置し、前記かご用バッファ，釣り合い重り用バッファ，かご用ガイドレールおよび釣り合い重り用ガイドレールが立設された支持部材と、この支持部材と建物の基礎の間に介装された滑性板とを備え、かごまたは釣り合い重りが落下したときには、前記支持部材が昇降路の側壁から外れるようにしたことを特徴とするエレベーターの昇降路。
【発明の詳細な説明】
【０００１】
【発明の属する技術分野】
本発明は、地震の揺れを建物本体に直接伝えないようにした免震構造の建物に設けられたエレベーターの昇降路に関する。
【０００２】
【従来の技術】
従来、免震構造の建物として、図４に示すようなものがあり、建物本体１０１と基礎１０２との間には積層ゴム１０３が介装され、地震の揺れを直接建物本体１０１に伝えないようにしている。建物本体１０１に設けられたエレベーターの昇降路１０４は、基礎１０２からは離れた構造となっている。
【０００３】
図５に示すように、昇降路１０４の底面１０４ａは基礎１０２から少し浮いた二重構造となっており、この底面１０４ａには釣り合い重り用バッファ１０５やかご用バッファ（図示せず）が設けられている。この釣り合い重り用バッファ１０５やかご用バッファは、地震時にロープが切れて釣り合い重りやかごが落下した際に、底面１０４ａに加わる衝撃を緩衝するようにしたものである。なお、かご側には安全のために制動装置が設けられているために、かごが底面１０４ａに落下することは少ないが、釣り合い重りにはそのようなものは設けられていないために底面１０４ａに落下することとなる。
【０００４】
ところで、釣り合い重りが底面１０４ａに落下する場合には、図６に示すようにこの底面１０４ａと基礎１０２とが二重構造となっているために、バッファ１０５とともに底面１０４ａおよび側壁１０４ｂも破壊されることとなる。
【０００５】
【発明が解決しようとする課題】
しかしながら、昇降路１０４を再び使用可能にするには、一度破壊された底面１０４ａとともにこの側壁１０４ｂを修理しなければならず、修理工事はかなり大変であり、工事の時間がかなりかかる。その結果、修理工事の長い期間中はエレベーターが使えず、建物の早期復旧・使用を目指した免震構造においては、とても不便であるという問題点があった。
【０００６】
本発明は、免震構造の建物に設けられたエレベーターにおいて、かごや釣り合い重り等が落下して昇降路の底面や側壁が破壊されても、すぐに使用可能となるようにしたエレベーターの昇降路を提供することを目的とする。
【０００７】
【課題を解決するための手段】
このような目的を達成するために、本発明にあっては、かごおよび釣り合い重りが落下したときの衝撃をそれぞれ緩衝するかご用バッファおよび釣り合い重り用バッファと、昇降路に設けられるかご用ガイドレールおよび釣り合い重り用ガイドレールと、昇降路の側壁に外れやすいように取り付けられて建物の基礎の上に別体として位置し、前記かご用バッファ，釣り合い重り用バッファ，かご用ガイドレールおよび釣り合い重り用ガイドレールが立設された支持部材と、この支持部材と建物の基礎の間に介装された滑性板とを備え、かごまたは釣り合い重りが落下したときには、前記支持部材が昇降路の側壁から外れるようにした構成としている。
【０００８】
【発明の実施の形態】
以下、本発明を図面に基づいて説明する。図１ないし図３は本発明に係るエレベーターの昇降路の一実施例を示す図である。
【０００９】
図１および図２において、符号１は建物に設けられたエレベーターの昇降路であり、この昇降路１は建物の基礎２とは別体となっている。昇降路１には、かご（図示せず）や釣り合い重り（図示せず）が配設され、このかごと釣り合い重りとはロープによって連結され、巻上機（図示せず）によって上下移動させられる。
【００１０】
昇降路１の底面側には、２本のＨ型鋼３，４（支持部材）が基礎２の上に横にした状態で載置されている。また、Ｈ型鋼３，４の両端が位置する昇降路１の側壁１ａには、それぞれ断面略Ｌ字型の固定片５，６および７，８がアンカーボルト９によって固定されている。固定片５，６および７，８にはＨ型鋼３，４の両端が点溶接３ａ，４ａされている。このため、Ｈ型鋼３，４は大きな荷重が加われば固定片５，６および７，８（すなわち、側壁１ａ）から外れやすくなっている。
【００１１】
昇降路１の略中央に位置するＨ型鋼３には、この中央に落下するかごを緩衝するかご用バッファ１０が固定され、両端にかごの上下移動を案内するかご用ガイドレール１１，１２が立設されている。また、昇降路１の図２中上端側に位置するＨ型鋼４には、この中央に落下する釣り合い重りを緩衝する釣り合い重り用バッファ１３が固定され、この両端に釣り合い重りの上下移動を案内する釣り合い重り用ガイドレール１４，１５が立設されている。
【００１２】
Ｈ型鋼３，４と基礎２との間には、テフロンプレート１６，１７，１８（滑性板）が介装されている。テフロンプレート１６，１７，１８は鋼板の表面にテフロン（デュボン社の商品名，フッ素樹脂であってテトラフルオルエチレンとヘキサフルオルプロピレンの共重合物）の加工が施されている。テフロンプレート１６の方はかご用バッファ１０や釣り合い重り用バッファ１３を覆う程の大きさがあり、このテフロン加工が施された表面はＨ型鋼３，４の方を向き、裏面は基礎２に接している。このテフロンプレート１６の四隅は、アンカーボルト１９（他にはクリップ等でもよい）によって基礎２に固定されている。
【００１３】
テフロンプレート１７，１８はそれぞれがかご用バッファ１０，釣り合い重り用バッファ１３の下に位置し、このテフロン加工が施された表面はテフロンプレート１６の表面を向いている。このため、テフロンプレート１６の表面とテフロンプレート１７，１８の表面とは向き合った状態で接触している。
【００１４】
Ｈ型鋼３および４は、それぞれかご用バッファ１０，かご用ガイドレール１１，１２および釣り合い重り用バッファ１３，釣り合い重り用ガイドレール１４，１５を支持しながら基礎２に載置されているが、このＨ型鋼３および４はテフロンプレート１６，１７，１８を介しているために基礎２に相対移動可能に支持されていることになる。
【００１５】
ところで、Ｈ型鋼３および４は、固定片８，６および７，８を介して昇降路１の側壁１ａに取り付けられているが、この固定片５，６および７，８とＨ型鋼３および４とは点溶接３ａ，４ａされているだけであるので、この側壁１ａにはあまり支持されておらず、単にこれに位置決めされているだけである。
【００１６】
昇降路１の底面の役割を果しているＨ型鋼３，４は、基礎２に対してテフロンプレート１６，１７，１８を介して相対移動可能となっているために、地震時に基礎２から直接揺れを受けることはない。ここで、地震時にロープが切れてかごと釣り合い重りが落下したとすると、かごの方には制動装置が設けられているので、この制動装置が働いてこのかごは大体途中で制止させられる。
【００１７】
しかし、釣り合い重りにはそのような制動装置はないので、昇降路１の底面に向けて落下することとなる。このとき、図３に示すようにＨ型鋼３，４の上には、釣り合い重り用バッファ１３が設けられているので、このバッファ１３によって釣り合い重りを受け止めて衝撃を緩衝することとなる。Ｈ型鋼４は固定片７，８にスポット溶接４ａされているだけなので、釣り合い重りの落下の際の大きな衝撃をバッファ１３とともに受けると、この固定片７，８からすぐに外れてしまうことになる。このため、釣り合い重りの落下の際に壊れるのは、Ｈ型鋼４とバッファ１３のみであり、昇降路１の側壁１ａには何ら影響を及ぼさない。その結果、Ｈ型鋼４とバッファ１３とを他の新しいものと取り替えれば、エレベーターはすぐに使用可能となる。
【００１８】
なお、本発明は新しく建設する免震構造の建物だけでなく、既の建物を免震構造にするときにも適用することができる。
【００１９】
【発明の効果】
以上説明したように、本発明によれば、かごまたは釣り合い重りが落下したときには、支持部材が昇降路の側壁から外れるようにしたので、前記落下の際に破壊された支持部材とかご用バッファまたは釣り合い重り用バッファを他の新しいものと取り替えれば、エレベーターはすぐに使用可能となる。
【図面の簡単な説明】
【図１】本発明に係るエレベーターの昇降路の一実施例を示す縦断面図。
【図２】本発明に係るエレベーターの昇降路の一実施例を示す横断面図。
【図３】この昇降路の分解断面図。
【図４】免震構造の建物に設けられた従来の昇降路の断面図。
【図５】図４中Ａ矢視部分拡大断面図。
【図６】バッファに大きな荷重がかかった断面図。
【符号の説明】
１…昇降路、１ａ…側壁、２…基礎、３，４…Ｈ型鋼、１０…かご用バッファ、１１，１２…かご用ガイドレール、１３…釣り合い重り用バッファ、１４，１５…釣り合い重り用ガイドレール、１６，１７，１８…テフロンプレート。
【図１】
0003745036.tif 000002
【図２】
0003745036.tif 000003
【図３】
0003745036.tif 000004
【図４】
0003745036.tif 000005
【図５】
0003745036.tif 000006
【図６】
0003745036.tif 000007